(57)【特許請求の範囲】
【請求項１】
信号光をそれぞれ出力する複数の信号光送信回路と、ダミー光を出力する少なくとも１つのダミー光送信回路と、上記信号光および上記ダミー光を波長多重光として出力する光合波器と、上記光合波器からの波長多重光を増幅して光ファイバ伝送路へ出力する光ファイバ増幅器とを備えた光送信装置において、
上記光ファイバ増幅器と上記光ファイバ伝送路との間に設けられ、上記波長多重光からモニタ用波長多重光を分岐する光分波器と、
上記光分波器から入力される上記モニタ用波長多重光のスペクトルをモニターして上記波長多重光の多重化数を算出し、算出した上記波長多重光の多重化数に基づき上記ダミー光のパワーの最適値を求め、上記ダミー光送信回路から出力される上記ダミー光のパワーが上記ダミー光のパワーの最適値となるよう上記ダミー光送信回路へ制御信号を出力することにより、上記波長多重光の合成パワーを最適値に保持するフィードバック制御回路とを備えることを特徴とする光送信装置。
【請求項２】
ダミー光送信回路は、制御信号によって注入電流が制御されることを特徴とする請求項１記載の光送信装置。
【請求項３】
ダミー光送信回路は、制御信号によって減衰量が制御される可変光減衰器を備え、上記可変光減衰器を介してダミー光を出力することを特徴とする請求項１記載の光送信装置。
【請求項４】
請求項１から請求項３のうちのいずれか１項記載の光送信装置と、波長多重光を伝送する光ファイバ伝送路と、上記光ファイバ伝送路から入力された上記波長多重光を受信する光受信装置とを備えることを特徴とする光通信システム。
【発明の詳細な説明】
【０００１】
【発明の属する技術分野】
この発明は、波長分割多重方式を採用した光通信システムに適用され、ダミー光のパワーを調整することによって、光ファイバ伝送路に対してＷＤＭ光の合成パワーを最適値に保持する光送信装置およびこれを用いた光通信システムに係るものである。
【０００２】
【従来の技術】
光通信システムにおいて、光ファイバ伝送路の数を増加することなく伝送容量を拡大する手段として波長分割多重（以下、ＷＤＭと略す）方式が広く知られている。このＷＤＭ方式は、中心波長の互いに異なる複数の信号光を光送信装置の光合波器（マルチプレクサ）によってＷＤＭ光として合成し、中継用の光ファイバ増幅器によって適宜増幅しながら光ファイバ伝送路を介してＷＤＭ光を伝送した後に、光受信装置の光分波器（デマルチプレクサ）によって各中心波長の信号光をＷＤＭ光から分離するものである。相互干渉のないように波長間隔を持たせて複数の信号光を伝送するので、１本の光ファイバ伝送路で伝送容量を拡大することができる。
【０００３】
このとき、光通信システムの最大多重化数Ｎｍａｘや信号光の波長間隔は、光ファイバ伝送路・光ファイバ増幅器・光合波器・光分波器などの各特性から求められる。また、光ファイバ伝送路へ出力されるＷＤＭ光の合成パワーの最適値Ｐａも光ファイバ伝送路および光ファイバ増幅器の特性により定められる。
【０００４】
そして、光ファイバ伝送路に対する１信号光当たりのパワーの最適値Ｐｓは、最大多重化状態でＷＤＭ光の合成パワーが最適値Ｐａになるように設計され、最適値Ｐａを最大多重化数Ｎｍａｘで除算して求められる。例えば簡単な数値例をあげると、最大多重化数Ｎｍａｘ＝１６チャンネル、最適値Ｐａ＝１６ｍＷとして設計されている場合には、Ｐｓ＝１６ｍＷ÷１６チャンネル＝１ｍＷと算出される。
【０００５】
しかしながら、実際の光通信システムは最大多重化状態で必ずしも運用されるわけではなく、そのときに必要な伝送容量に応じて多重化数Ｎは増減する。つまり、多重化数Ｎが最大多重化数Ｎｍａｘに満たない場合もしばしば発生するため、ＷＤＭ光の合成パワーも状況によって異なってくる。
【０００６】
先の数値例では、運用されている信号光が多重化数Ｎ＝８チャンネルの場合には、ＷＤＭ光の合成パワー＝１ｍＷ×８チャンネル＝８ｍＷとなり、最適値１６ｍＷに８ｍＷだけ不足した状態になってしまう。
【０００７】
このパワー不足分を補ってＷＤＭ光の合成パワーを最適値Ｐａに保持することができるように、各信号光と中心波長の異なるダミー光を用意してそのパワーを調整する光送信装置が考案されている。
【０００８】
図４は従来の光送信装置を適用した光通信システムの構成を示す図である。ここでは例として、最大多重化数Ｎｍａｘ＝１６チャンネルの光通信システムを説明する。
【０００９】
図４において、１ａ〜１ｐは信号光をそれぞれ出力する光送信回路（１ｅ〜１ｎは図示省略）である。光送信回路１ａ〜１ｐは、異なる中心波長λ１〜λ１６（λ１＜λ２＜…＜λ１５＜λ１６）の信号光を制御信号Ｓ１〜Ｓ１６にしたがってそれぞれ出力する。２は光送信回路１ａ〜１ｐからの信号光を合成してＷＤＭ信号光を出力する光合波器、３はＷＤＭ信号光を増幅する光ファイバ増幅器である。
【００１０】
また、４ａ，４ｂはダミー光をそれぞれ出力する光送信回路である。光送信回路４ａ，４ｂは、異なる中心波長λ０，λ１７（λ０＜λ１，λ１６＜λ１７）のダミー光をそれぞれ出力する。５は光送信回路４ａ，４ｂからのダミー光を合成してＷＤＭダミー光を出力する光合波器、６はＷＤＭダミー光を増幅する光ファイバ増幅器である。
【００１１】
さらに、７は光ファイバ増幅器３が増幅したＷＤＭ信号光と光ファイバ増幅器６が増幅したＷＤＭダミー光とを合成してＷＤＭ光を出力する光合波器、８はＷＤＭ光を増幅する光ファイバ増幅器、９は不図示の光受信装置へＷＤＭ光を伝送する光ファイバ伝送路、１０は光ファイバ伝送路９の途中に設けられた中継増幅用の光ファイバ増幅器である。
【００１２】
次に動作について説明する。
制御信号Ｓ１〜Ｓ１６にしたがって、光送信回路１ａ〜１ｐは中心波長λ１〜λ１６の信号光をそれぞれ出力する。制御信号Ｓ１〜Ｓ１６は多重化数Ｎに応じて活性化される。これらの信号光は光合波器２によってＷＤＭ信号光として合成され、ＷＤＭ信号光は光ファイバ増幅器３によって増幅される。
【００１３】
一方、光送信回路４ａ，４ｂは中心波長λ０，λ１７のダミー光をそれぞれ出力する。これらのダミー光は光合波器５によってＷＤＭダミー光として合成され、ＷＤＭダミー光は光ファイバ増幅器６によって増幅される。
【００１４】
光ファイバ増幅器３からＷＤＭ信号光を、光ファイバ増幅器６からＷＤＭダミー光をそれぞれ受けた光合波器７は、これらの光をＷＤＭ光として合成して光ファイバ増幅器８へ出力する。このＷＤＭ光は、光ファイバ増幅器８によって増幅され、光ファイバ伝送路９，光ファイバ増幅器１０を介して不図示の光受信装置へ伝送される。
【００１５】
以上のように動作する光送信装置では、光ファイバ伝送路９に対するＷＤＭ光の合成パワーが最適値Ｐａになるように、多重化数Ｎの増減に応じて光送信回路４ａ，４ｂから出力されるダミー光のパワーを減増するようにしている。
【００１６】
先の数値例で言えば、多重化数Ｎ＝８チャンネルの場合には、ＷＤＭ信号光の合成パワーが８ｍＷなので、光送信回路４ａ，４ｂが出力するダミー光のパワーをそれぞれ４ｍＷに調整し、ＷＤＭダミー光の合成パワーを８ｍＷにする。このようにすることで、ＷＤＭ信号光の合成パワー８ｍＷと、ＷＤＭダミー光の合成パワー８ｍＷとの合計が１６ｍＷになり、ＷＤＭ光の合成パワーを最適値Ｐａに等しくすることができる。
【００１７】
多重化数Ｎが変更されてＮｍａｘ＝１６チャンネルの最大多重化状態となった場合には、ＷＤＭ信号光の合成パワーが１６ｍＷになるので、光送信回路４ａ，４ｂが出力するダミー光のパワーをそれぞれ０ｍＷに調整し、ＷＤＭダミー光の合成パワーを０ｍＷにする。このときにもやはり、ＷＤＭ信号光の合成パワー１６ｍＷと、ＷＤＭダミー光の合成パワー０ｍＷとの合計が１６ｍＷになり、ＷＤＭ光の合成パワーを最適値Ｐａに等しくすることができる。
【００１８】
以上のように、光送信回路４ａ，４ｂからそれぞれ出力されるダミー光をＷＤＭ信号と合成してＷＤＭ光とし、多重化数Ｎの増減に応じて光送信回路４ａ，４ｂからのダミー光のパワーを減増するようにしているので、光ファイバ伝送路９に対するＷＤＭ光の合成パワーを最適値Ｐａに等しくすることができる。
【００１９】
【発明が解決しようとする課題】
従来の光送信装置は以上のように構成されているので、光ファイバ増幅器の利得波長依存性や光送信回路から出力されるダミー光のパワー変動によって、光ファイバ伝送路に対するＷＤＭ光の合成パワーが必ずしも最適値に保持されないという課題があった。
【００２０】
また、信号光を出力する光送信回路の一部に何らかの障害が発生して出力が途切れたり、そのパワーが減少してしまうなどといった不測の事故が発生すると、光ファイバ伝送路に対するＷＤＭ光の合成パワーを最適値に保持するために、ダミー光のパワーを増加する必要があり、ある程度の調整時間が要されるため、光ファイバ伝送路に対するＷＤＭ光の合成パワーを最適値に保持できない期間が生じていた。
【００２１】
ＷＤＭ光の制御に関する出願はいくつか存在している（特開平７−１５４３６７号公報、特開平９−２６１２０５号公報など）。しかし、これらは各信号光の出力を制御するものや、信号光と合成する前にダミー光を制御するものであり、上記の課題を完全に解決するものではない。
【００２２】
この発明は上記のような課題を解決するためになされたものであり、光ファイバ増幅器の利得波長依存性や光送信回路から出力されるダミー光のパワー変動に対応して、調整時間を要することなく、光ファイバ伝送路に対するＷＤＭ光の合成パワーを常に最適値に保持することができる光送信装置および光通信システムを構成することを目的とする。
【００２３】
【課題を解決するための手段】
この発明に係る光送信装置は、光ファイバ増幅器と光ファイバ伝送路との間に設けられ、波長多重光からモニタ用波長多重光を分岐する光分波器と、光分波器から入力されるモニタ用波長多重光のスペクトルをモニターして波長多重光の多重化数を算出し、算出した波長多重光の多重化数に基づきダミー光のパワーの最適値を求め、ダミー光送信回路から出力されるダミー光のパワーがダミー光のパワーの最適値となるようダミー光送信回路へ制御信号を出力することにより、波長多重光の合成パワーを最適値に保持するフィードバック制御回路とを備えるようにしたものである。
【００２４】
この発明に係る光送信装置は、制御信号によってダミー光送信回路への注入電流を制御するようにしたものである。
【００２５】
この発明に係る光送信装置は、制御信号によって減衰量が制御される可変光減衰器をダミー光送信回路が備え、可変光減衰器を介してダミー光送信回路がダミー光を出力するようにしたものである。
【００２６】
この発明に係る光通信システムは、上記の光送信装置と、波長多重光を伝送する光ファイバ伝送路と、光ファイバ伝送路から入力された波長多重光を受信する光受信装置とを備えるようにしたものである。
【００２７】
【発明の実施の形態】
以下、この発明の実施の一形態を説明する。
実施の形態１．
図１はこの発明の実施の形態１による光送信装置を適用した光通信システムの構成を示す図である。
【００２８】
図１において、１ａ〜１ｐは信号光をそれぞれ出力する光送信回路（信号光送信回路、１ｅ〜１ｎは図示省略）である。光送信回路１ａ〜１ｐは、異なる中心波長λ１〜λ１６（λ１＜λ２＜…＜λ１５＜λ１６）の信号光を制御信号Ｓ１〜Ｓ１６にしたがってそれぞれ出力する。２は光送信回路１ａ〜１ｐからの信号光を合成してＷＤＭ信号光を出力する光合波器、３はＷＤＭ信号光を増幅する光ファイバ増幅器である。
【００２９】
また、４ａ，４ｂはダミー光をそれぞれ出力する光送信回路（ダミー光送信回路）である。光送信回路４ａ，４ｂは、異なる中心波長λ０，λ１７（λ０＜λ１，λ１６＜λ１７）のダミー光を制御信号Ｓ０，Ｓ１７にしたがってそれぞれ出力する。５は光送信回路４ａ，４ｂからのダミー光を合成してＷＤＭダミー光を出力する光合波器、６はＷＤＭダミー光を増幅する光ファイバ増幅器である。
【００３０】
さらに、７は光ファイバ増幅器３が増幅したＷＤＭ信号光と光ファイバ増幅器６が増幅したＷＤＭダミー光とを合成してＷＤＭ光（波長多重光）を出力する光合波器、８はＷＤＭ光を増幅する光ファイバ増幅器、９は不図示の光受信装置へＷＤＭ光を伝送する光ファイバ伝送路、１０は光ファイバ伝送路９の途中に設けられた中継増幅用の光ファイバ増幅器である。
【００３１】
そして、１１は光分波器、１２はフィードバック制御回路である。
光分波器１１は、光ファイバ増幅器８と光ファイバ伝送路９との間に設けられており、光ファイバ増幅器８が増幅したＷＤＭ光を２分岐する。フィードバック制御回路１２は、光分波器１１が２分岐したＷＤＭ光から得られる多重化数Ｎにしたがって制御信号Ｓ０，Ｓ１７を生成し、この制御信号Ｓ０，Ｓ１７によって光ファイバ伝送路９に対するダミー光のパワーが最適値Ｐｄになるように調整する。
【００３２】
この実施の形態１では、光送信回路１ａ〜１ｐ，４ａ，４ｂ，光合波器２，５，７，光ファイバ増幅器３，６，８，光分波器１１およびフィードバック制御回路１２から光送信装置を構成している。
【００３３】
次に動作について説明する。
制御信号Ｓ１〜Ｓ１６にしたがって、光送信回路１ａ〜１ｐは中心波長λ１〜λ１６の信号光をそれぞれ出力する。制御信号Ｓ１〜Ｓ１６は多重化数Ｎに応じて活性化される。これらの信号光は光合波器２によってＷＤＭ信号光として合成され、ＷＤＭ信号光は光ファイバ増幅器３によって増幅される。
【００３４】
一方、制御信号Ｓ０，Ｓ１７にしたがって、光送信回路４ａ，４ｂは中心波長λ０，λ１７のダミー光をそれぞれ出力する。これらのダミー光は光合波器５によってＷＤＭダミー光として合成され、ＷＤＭダミー光は光ファイバ増幅器６によって増幅される。
【００３５】
光ファイバ増幅器３からＷＤＭ信号光を、光ファイバ増幅器６からＷＤＭダミー光をそれぞれ受けた光合波器７は、これらの光をＷＤＭ光として合成して光ファイバ増幅器８へ出力する。このＷＤＭ光は、光ファイバ増幅器８によって増幅された後に、光分波器１１によって２分岐される。
【００３６】
光分波器１１で２分岐された一方のＷＤＭ光は、従来と同様に、光ファイバ伝送路９，光ファイバ増幅器１０を介して不図示の光受信装置へ伝送される。光分波器１１で２分岐された他方のＷＤＭ光（モニタ用波長多重光）は、フィードバック制御回路１２へ入力される。
【００３７】
フィードバック制御回路１２では、ＷＤＭ光のスペクトルがモニタリングされ、このスペクトルから中心波長λ１〜λ１６における各信号光のパワーをそれぞれ測定し、測定した各パワーを予め設定した閾値とそれぞれ比較して、閾値を超えたパワーの中心波長では信号光が出力されているものと判断する。このように、閾値との比較によって各中心波長λ１〜λ１６のパワーから、ＷＤＭ光の信号光の多重化数Ｎを算出する。
【００３８】
そして、上記の測定・算出によって得られた信号光のパワーや多重化数Ｎ，ＷＤＭ光の合成パワーの最適値Ｐａ，最大多重化数Ｎｍａｘなどから、光ファイバ伝送路９へ出力されるダミー光のパワーの最適値Ｐｄを算出する。これは例えばＰｄ＝（Ｐａ−Ｎ×Ｐｓ）／２やＰｄ／Ｐｓ＝（Ｎｍａｘ−Ｎ）／２などを満たす最適値Ｐｄを求めることである。
【００３９】
同時に、フィードバック制御回路１２は、モニタリングしたＷＤＭ光のスペクトルから中心波長λ０，λ１７のダミー光のパワーを測定し、最適値Ｐｄと等しいかどうかを判断する。フィードバック制御回路１２でのパワー測定の際には、光分波器１１の分岐比がもちろん考慮されている。
【００４０】
以上のようにして、ダミー光のパワーがその最適値Ｐｄと比較され、この比較結果に応じて、制御信号Ｓ０，Ｓ１７がフィードバック制御回路１２から光送信回路４ａ，４ｂへそれぞれ出力される。制御信号Ｓ０，Ｓ１７は各光送信回路４ａ，４ｂから出力されるダミー光のパワーの増減を調整するものであり、ダミー光のパワーが最適値Ｐｄと等しくなるようフィードバック制御を行っている。
【００４１】
このフィードバック制御は、例えば光送信回路４ａ，４ｂに用いられる光源が半導体レーザダイオードの場合には、光源からの後方出力光のパワーをモニタ用フォトダイオードなどで受光して監視し、光送信回路４ａ，４ｂへの注入電流を制御信号Ｓ０，Ｓ１７で調整する。
【００４２】
以上の構成では、光ファイバ増幅器８と光ファイバ伝送路９との間に光分波器１１を設け、光ファイバ伝送路９へ出力される直前のＷＤＭ光からダミー光のパワーが最適値Ｐｄとなっているかを判断するようにしているので、光ファイバ増幅器３，６，８の利得波長依存性の影響やダミー光のパワー変動の影響も含めて信号光に対するダミー光のパワーを調整していることになり、光ファイバ増幅器の利得波長依存性や光送信回路から出力されるダミー光のパワー変動に対応して、ＷＤＭ光スペクトルの波長分布をより最適化して光ファイバ伝送路９へ送信することができる。
【００４３】
以下に具体的な例を示す。
図２は多重化数が４チャンネル、図３は多重化数が３チャンネルの場合における光送信装置の出力スペクトルの一例をそれぞれ表す図である。いずれも横軸は波長λ、縦軸はパワーＰである。
【００４４】
図２では、制御信号Ｓ４，Ｓ７，Ｓ１０，Ｓ１３だけが活性化して、中心波長λ４，λ７，λ１０，λ１３の各信号光だけが光送信回路１ｄ，１，１，１からそれぞれ出力されている。この場合、フィードバック制御回路１２は、閾値との比較によって４チャンネル多重状態と判断し、最大多重化数Ｎｍａｘ＝１６チャンネルなので、１ダミー光当たり（１６−４）／２＝６チャンネル分相当のパワーが最適値Ｐｄなので（最適値Ｐａから算出しても良い）、ダミー光が信号光よりも約７．８ｄＢだけ高いパワーになって光ファイバ伝送路９へ入力されるように、光送信回路４ａ，４ｂの出力を調整する。
【００４５】
図３は図２の中心波長λ１０の信号光が障害などの不測の事故によって出力断となり、光通信システムが３チャンネル多重化状態になった場合を示している。この場合、フィードバック制御回路１２は、閾値との比較によって多重化数が４チャンネルから３チャンネルに減少したものと判断し、最大多重化数Ｎｍａｘ＝１６チャンネルなので、１ダミー光当たり（１６−３）／２＝６．５チャンネル分相当のパワーが最適値Ｐｄなので（最適値Ｐａから算出しても良い）、ダミー光が信号光よりも約８．１ｄＢだけ高いパワーになって光ファイバ伝送路９へ入力されるように、光送信回路４ａ，４ｂの出力を調整する。
【００４６】
光分波器１１，フィードバック制御回路１２によって、光ファイバ伝送路９へのＷＤＭ光の合成パワーを常時モニタしているので、不測の事故によって図２の状態から図３の状態になった場合にも、調整時間を要することなく、光ファイバ伝送路に対するＷＤＭ光の合成パワーの最適値を常に保持することができる。
【００４７】
なお、ＷＤＭ信号光を増幅する光ファイバ増幅器３，ダミー光を増幅する光ファイバ増幅器６は必ずしも必須の構成要素ではなく、これらを省略して光通信システムを構成するようにしても良い。
【００４８】
また、光ファイバ増幅器３，６を省いた構成の場合には、光合波器２，５，７は別個の構成要素とする必要はなく、例えばスターカプラなどの多入力−１出力の光合波器を用いて構成するようにしても良い。
【００４９】
さらに、注入電流を調整する代わりに、光送信回路４ａ，４ｂからのダミー光を同数の可変光減衰器を介してそれぞれ出力するようにし、制御信号Ｓ０，Ｓ１７によって可変光減衰器の減衰量をそれぞれ調整しても良く、同様の効果が得られる。
【００５０】
さらに、信号光の数やダミー光の数は特に限定されない。そして、複数のダミー光のパワーは一定にする必要はなく、例えば光ファイバ増幅器８の利得波長依存性や運用中の各信号光の帯域に応じて異ならせるようにしても良い。
【００５１】
さらに、ダミー光のパワーの最適値Ｐｄを算出する計算方法は特に限定されるものではなく、光ファイバ伝送路９に対するＷＤＭ光のパワーが最適値Ｐａとなるように算出されれば良い。
【００５２】
以上のように、この実施の形態１によれば、光ファイバ増幅器８と光ファイバ伝送路９との間に設けられ、ＷＤＭ光を２分岐する光分波器１１と、光分波器１１から入力されるＷＤＭ光に基づいて光送信回路４ａ，４ｂへ制御信号Ｓ０，Ｓ１７をそれぞれ出力し、光送信回路４ａ，４ｂからそれぞれ出力される中心波長λ０，λ１７のダミー光のパワーを制御信号Ｓ０，Ｓ１７によって調整してＷＤＭ光の合成パワーを最適値Ｐａに保持するフィードバック制御回路１２とを備えるようにしたので、光ファイバ増幅器３，６，８の利得波長依存性や光送信回路４ａ，４ｂから出力されるダミー光のパワー変動に対応して、調整時間を要することなく、光ファイバ伝送路９に対するＷＤＭ光の合成パワーを最適値Ｐａに常に保持することができるという効果が得られる。
【００５３】
この実施の形態１によれば、制御信号Ｓ０，Ｓ１７によって光送信回路４ａ，４ｂへの注入電流をそれぞれ制御するようにしたので、ダミー光のパワーを容易に調整できるという効果が得られる。
【００５４】
この実施の形態１によれば、制御信号Ｓ０，Ｓ１７によって減衰量が制御される可変光減衰器を光送信回路４ａ，４ｂがそれぞれ備え、可変光減衰器を介して光送信回路４ａ，４ｂがダミー光をそれぞれ出力するようにしたので、ダミー光のパワーを容易に調整できるという効果が得られる。
【００５５】
この実施の形態１によれば、光送信装置と、ＷＤＭ光を伝送する光ファイバ伝送路９と、光ファイバ伝送路９から入力されたＷＤＭ光を信号光に分離する光受信装置とを備えるようにしたので、光ファイバ増幅器３，６，８の利得波長依存性や光送信回路４ａ，４ｂから出力されるダミー光のパワー変動に対応して、調整時間を要することなく、光ファイバ伝送路９に対するＷＤＭ光の合成パワーを最適値Ｐａに常に保持して光通信を行うことができるという効果が得られる。
【００５６】
【発明の効果】
以上のように、この発明によれば、光ファイバ増幅器と光ファイバ伝送路との間に設けられ、波長多重光からモニタ用波長多重光を分岐する光分波器と、光分波器から入力されるモニタ用波長多重光のスペクトルをモニターして波長多重光の多重化数を算出し、算出した波長多重光の多重化数に基づきダミー光のパワーの最適値を求め、ダミー光送信回路から出力されるダミー光のパワーがダミー光のパワーの最適値となるようダミー光送信回路へ制御信号を出力することにより、波長多重光の合成パワーを最適値に保持するフィードバック制御回路とを備えるようにしたので、光ファイバ増幅器の利得波長依存性や光送信回路から出力されるダミー光のパワー変動に対応して、調整時間を要することなく、光ファイバ伝送路に対する波長多重光の合成パワーを常に最適値に保持することができるという効果が得られる。
【００５７】
この発明によれば、制御信号によってダミー光送信回路への注入電流を制御するようにしたので、ダミー光のパワーを容易に調整できるという効果が得られる。
【００５８】
この発明によれば、制御信号によって減衰量が制御される可変光減衰器をダミー光送信回路が備え、可変光減衰器を介してダミー光送信回路がダミー光を出力するようにしたので、ダミー光のパワーを容易に調整できるという効果が得られる。
【００５９】
この発明によれば、上記の光送信装置と、波長多重光を伝送する光ファイバ伝送路と、光ファイバ伝送路から入力された波長多重光を受信する光受信装置とを備えるようにしたので、光ファイバ増幅器の利得波長依存性や光送信回路から出力されるダミー光のパワー変動に対応して、調整時間を要することなく、光ファイバ伝送路に対する波長多重光の合成パワーを常に最適値に保持して光通信を行うことができるという効果が得られる。
【図面の簡単な説明】
【図１】  この発明の実施の形態１による光送信装置を適用した光通信システムの構成を示す図である。
【図２】  多重化数Ｎ＝４チャンネルでの光送信装置の出力スペクトルを示す図である。
【図３】  多重化数Ｎ＝３チャンネルでの光送信装置の出力スペクトルを示す図である。
【図４】  従来の光送信装置を適用した光通信システムの構成を示す図である。
【符号の説明】
１ａ〜１ｐ  光送信回路（信号光送信回路）、４ａ，４ｂ  光送信回路（ダミー光送信回路）、Ｓ０，Ｓ１〜Ｓ１６，Ｓ１７  制御信号、２，５，７  光合波器、３，６，８，１０  光ファイバ増幅器、９  光ファイバ伝送路、１１  光分波器、１２  フィードバック制御回路。
【図１】
0003761780.tif 000002
【図２】
0003761780.tif 000003
【図３】
0003761780.tif 000004
【図４】
0003761780.tif 000005